(57)【特許請求の範囲】
【請求項１】
基礎支持面上に形成された基礎版と、この基礎版上に立ち上げられる立ち上げ部とを有する建築物基礎の形成方法であって、
地盤上に前記基礎支持面をほぼ水平に形成する工程と、
前記基礎支持面上に、前記基礎版にほぼ水平に埋め込む鉄筋を配列する工程と、
前記立ち上げ部を構成するプレキャストコンクリートブロックの底面に仮支持金具を取り付け、該仮支持金具によって該プレキャストコンクリートブロックを、前記基礎支持面上に支持させる工程と、
前記鉄筋と前記仮支持金具とを埋め込み、前記プレキャストコンクリートブロックと密接するように前記基礎版のコンクリートを打設する工程と、を含み、
前記基礎支持面を形成する工程は、地盤を締め固めるとともに前記仮支持金具を支持する位置の地盤内に板状部材を埋め込み、該板状部材の上面とこの板状部材の周囲の締め固められた地盤の表面とがほぼ同じ高さとなるように仕上げる工程と、
前記板状部材を抜き取り、抜き取った後の凹部に捨てコンクリートを打設して上面を周囲の地盤の表面とほぼ同じ高さに均す工程と、を含むことを特徴とする建築物基礎の形成方法。
【請求項２】
前記板状部材を抜き取った後、凹部に捨てコンクリートを打設するまでに、前記凹部の周囲の地盤上から該凹部の内側に連続して防湿性又は防蟻性を有するシートを敷設する工程を含み、
前記捨てコンクリートは前記シートの上に打設することを特徴とする請求項１に記載の建築物基礎の形成方法。
【請求項３】
前記仮支持金具は、前記脚部の高さの調整を可能とする高さ調整部を有するものを用い、
前記プレキャストコンクリートブロックを前記基礎支持面上に支持させる工程の後に、前記高さ調整部によって前記プレキャストコンクリートブロックを所定の高さに設定する工程を含むことを特徴とする請求項１又は請求項２に記載の建築物基礎の形成方法。
【請求項４】
前記仮支持金具は、少なくとも２箇所から下方に突き出した脚部を有し、２箇所から突き出した前記脚部が前記鉄筋を跨ぐように、前記基礎支持面上に支持させるものとし、
前記基礎支持面上に配列された前記鉄筋を上方に持ち上げ、前記基礎版内に埋め込む所定の高さに配置する工程を含むことを特徴とする請求項１から請求項３までのいずれかに記載の建築物基礎の形成方法。
【請求項５】
前記基礎支持面上に配列された前記鉄筋を持ち上げ、所定の高さに支持させる工程は、該鉄筋を前記脚部に結束する工程を含むことを特徴とする請求項４に記載の建築物基礎の形成方法。
【発明の詳細な説明】
【技術分野】
【０００１】
本願発明は、予め工場等で制作されたプレキャストコンクリートブロックを用いた建築物基礎の形成方法に関するものである。
【背景技術】
【０００２】
木造建築物等、比較的小規模の建築物基礎として、コンクートの基礎版と、この基礎版から壁状に立ち上げられたコンクリートの立ち上げ部を備えるものが知られている。このような建築物基礎は、地盤を所定の深さまで掘削（根切り）した後、砕石等を転圧した基礎支持面上にコンクリートの基礎版を形成するとともに、この基礎版の上にコンクリートを打ちたして立ち上げ部を形成する。このようなコンクリートの基礎版を有する建築物基礎は、建築物を構築する全範囲に連続するように基礎版が形成されたいわゆる「べた基礎」の他に、立ち上げ部の両側の所定の範囲に張り出すように基礎版が形成されたいわゆる「フーチング基礎」を含むものである。
なお、上記立ち上げ部は建築物の外周部と内部の耐力壁の壁面方向に設置され、コンクリートの基礎版と強固に固着されて建築物の荷重を基礎版に伝達し、分散して地盤に伝えるものとなっている。
【０００３】
従来このような建築物基礎は、建築物の構築現場において、基礎版のコンクリートを打設するための型枠を組立て、鉄筋を配置してコンクリートを打設する。そして、基礎版のコンクリートが硬化した後に、立ち上げ部の型枠の設置、鉄筋の配置を行って立ち上げ部のコンクリートを打設し、脱型を行う。このようにコンクリートの打設を二度に分けて行っており、作業の効率が悪くなっている。
このような事情から、工場等で製作されたプレキャストコンクリートブロックを用いて上記立ち上げ部を形成する方法が提案されている。これは、転圧された基礎支持面上に複数のプレキャストコンクリートブロックを配置した後、これらのプレキャストコンクリートブロックと一体となるように基礎版のコンクリートを打設するものである。
【０００４】
このようなプレキャストコンクリートブロックを用いた基礎の形成方法として、例えば、特許文献１又は特許文献２に記載されているものがある。
特許文献１に記載の形成方法は以下のようなものである。
工場等で形成されたコンクリートからなる複数の基礎本体（プレキャストコンクリートブロック）を基礎地盤上に配列して、基礎本体の両端部に設けられた脚部を埋め込むようにコンクリート打設するものである。上記基礎本体の脚部間では下部に補強鉄筋が露出しており、基礎本体を配列した後に打設するコンクリート中に上記補強鉄筋を埋め込む。また、基礎本体の両端からは水平方向に補強鉄筋を突き出しており、隣り合う二つの基礎本体から突き出した補強鉄筋を重ね合わせ、これらを埋め込むように二つの基礎本体間にコンクリートを打設して一体とするものである。
【０００５】
また、特許文献２に記載の基礎の形成方法は以下のとおりである。
突合せ端面又は側面にジョイントが設けられるとともに底面に高さ調整用金具が備えられた基礎材（プレキャストコンクリートブロック）を均しコンクリート面上に配置し、上記ジョイントを嵌合させて複数の基礎材を連結する。
基礎材が連結された後、均しコンクリート上つまり基礎材の下方に底鉄筋を格子状に配筋するとともに基礎材の底面から突出している鉄筋を底鉄筋と結束し、コンクリートを打設して底板と基礎材とを一体化する。
上記高さ調整金具は、底部が基礎材の両側に張り出した箱状の部材となっており、均しコンクリートの上面に載置されて基礎材を安定した状態で支持することができるものとなっている。
【先行技術文献】
【特許文献】
【０００６】
【特許文献１】特開２００３−２７４９７号公報
【特許文献２】特開２０１０−７０９０３号公報
【発明の概要】
【発明が解決しようとする課題】
【０００７】
しかしながら、上記基礎の形成方法では、以下のような問題点がある。
特許文献１に記載の形成方法では、基礎本体（プレキャストコンクリートブロック）の側端面から突出した補強鉄筋を連結するために、二つの基礎本体間にコンクリートを打設する必要がある。このコンクリートを打設するための型枠として複雑な構成を有する連結ブロックが使用されている。つまり、基礎本体間の連結部コンクリートを打設するための型枠を形成する工程の作業効率が良好ではない。
【０００８】
一方、特許文献２に記載の形成方法では、均しコンクリート上に基礎材を配置した後に、底鉄筋を配置する。このとき、基礎材の下側に該基礎材の軸線方向に連続した鉄筋を配置するのが望ましい。つまり基礎材の下側には、建築物の壁面に沿った方向に連続する鉄筋を配置し、底板と基礎材とが一体となった基礎の曲げモーメントに抵抗させるのがよい。しかし、基礎材の下側は高さ調整用金具で支持されており、鉄筋を配置する作業の効率が悪くなる。
【０００９】
本願発明は、上記のような事情に鑑みてなされたものであり、その目的は、予め工場等で製作されたプレキャストコンクリートブロックを用いて効率よく基礎を形成することができる建築物基礎の形成方法を提供することである。
【課題を解決するための手段】
【００１０】
上記課題を解決するために、請求項１に係る発明は、  基礎支持面上に形成された基礎版と、この基礎版上に立ち上げられる立ち上げ部とを有する建築物基礎の形成方法であって、  地盤上に前記基礎支持面をほぼ水平に形成する工程と、  前記基礎支持面上に、前記基礎版にほぼ水平に埋め込む鉄筋を配列する工程と、  前記立ち上げ部を構成するプレキャストコンクリートブロックの底面に仮支持金具を取り付け、該仮支持金具によって該プレキャストコンクリートブロックを、前記基礎支持面上に支持させる工程と、  前記鉄筋と前記仮支持金具とを埋め込み、前記プレキャストコンクリートブロックと密接するように前記基礎版のコンクリートを打設する工程と、を含み、  前記基礎支持面を形成する工程は、地盤を締め固めるとともに前記仮支持金具を支持する位置の地盤内に板状部材を埋め込み、該板状部材の上面とこの板状部材の周囲の締め固められた地盤の表面とがほぼ同じ高さとなるように仕上げる工程と、  前記板状部材を抜き取り、抜き取った後の凹部に捨てコンクリートを打設して上面を周囲の地盤の表面とほぼ同じ高さに均す工程と、を含むことを特徴とする建築物基礎の形成方法を提供する。
【００１１】
この建築物基礎の形成方法では、上記仮支持金具を支持する位置に限定して捨てコンクリートを打設して、捨てコンクリートを打設する工程を簡略化することができるとともに、捨てコンクリートが打設された領域と締め固められた地盤の表面とをほぼ均一な高さの平面とすることができる。また、捨てコンクリートが打設された領域の周囲もしっかりと締め固められた状態とすることができる。一方、仮支持金具が配置される位置の凹凸を低減するとともに、プレキャストコンクリートブロックの重量が作用する仮支持金具の沈下が低減されるので、プレキャストコンクリートブロックの高さを精度よく調整することが可能となる。
なお、捨てコンクリートが打設される範囲以外の基礎支持面である締め固められた地盤は、掘削後の地盤を締め固めるものであっても良いが、砕石、砂利等を敷きならして締め固めるのが望ましい。
【００１２】
請求項２に係る発明は、請求項１に記載の建築物基礎の形成方法において、  前記板状部材を抜き取った後、凹部に捨てコンクリートを打設するまでに、前記凹部の周囲の地盤上から該凹部の内側に連続して防湿性又は防蟻性を有するシートを敷設する工程を含み、
前記捨てコンクリートは前記シートの上に打設するものとする。
【００１３】
この建築物基礎の形成方法では、捨てコンクリートの下にシートを敷設するので湿気又は蟻の侵入を抑制するとともに、仮支持金具を直接に捨てコンクリート上に支持させることができる。そして、配置位置を決めるための表示を捨てコンクリート上に付することができ、仮支持金具を正確に配置することが可能となる。
また、基礎版内に埋設される鉄筋を基礎支持面上に配列するとき、又は仮支持金具を介して、プレキャストコンクリートブロックを配置するときに上記シートの損傷を回避することも可能となる。
【００１４】
請求項３に係る発明は、請求項１又は請求項２に記載の建築物基礎の形成方法において、  前記仮支持金具は、前記脚部の高さの調整を可能とする高さ調整部を有するものを用い、  前記プレキャストコンクリートブロックを前記基礎支持面上に支持させる工程の後に、前記高さ調整部によって前記プレキャストコンクリートブロックを所定の高さに設定する工程を含むものとする。
【００１５】
この建築物基礎の形成方法では、仮支持金具の脚部に高さ調整部が設けられており、配置された各プレキャストコンクリートブロックの高さを調整することができる。したがって、予め決められた高さにプレキャストコンクリートブロックを配列することが容易となる。
【００１６】
請求項４に係る発明は、請求項１から請求項３までのいずれかに記載の建築物基礎の形成方法において、  前記仮支持金具は、少なくとも２箇所から下方に突き出した脚部を有し、２箇所から突き出した前記脚部が前記鉄筋を跨ぐように、前記基礎支持面上に支持させるものとし、  前記基礎支持面上に配列された前記鉄筋を上方に持ち上げ、前記基礎版内に埋め込む所定の高さに配置する工程を含むものとする。
【００１７】
この建築物基礎の形成方法では、プレキャストコンクリートブロックに取り付けられた仮支持金具が基礎支持面上に配列された鉄筋を跨いでプレキャストコンクリートブロックを基礎支持面上に支持するので、プレキャストコンクリートブロックの下側へ鉄筋を配置するのが容易となり、配筋作業の効率を向上させることができる。つまり、プレキャストコンクリートブロックの直下に、該プレキャストコンクリートブロックの軸線方向に沿って配置する鉄筋を、該鉄筋の軸線方向に送り出してプレキャストコンクリートブロックの下側に配置する必要が無くなる。したがって、プレキャストコンクリートブロックの下側が鉄筋によって充分に補強された建築物基礎を効率よく形成することができる。
なお、基礎支持面上に配列された鉄筋を基礎版内に埋め込む所定の高さへ持ち上げる工程は、プレキャストコンクリートブロックを基礎支持面上に支持させる工程の前又は後のいずれで行われるものであってもよい。
【００１８】
請求項５に係る発明は、請求項４に記載の建築物基礎の形成方法において、  前記基礎支持面上に配列された前記鉄筋を持ち上げ、所定の高さに支持させる工程は、該鉄筋を前記脚部に結束する工程を含むものとする。
【００１９】
この建築物基礎の形成方法では、仮支持金具の脚部に鉄筋を結束することにより、基礎版内に埋設する所定の位置に鉄筋を容易に支持させることが可能となる。また、脚部が鉄筋を跨いでいるので、プレキャストコンクリートブロックの軸線方向の直下に配列された鉄筋も脚部が跨いだ状態で所定の高さに持ち上げて配置することができる。
【発明の効果】
【００２０】
以上説明したように、本願発明に係る建築物基礎の形成方法では、現場では一度のコンクリート打設で基礎版と立ち上げ部とを形成するとともに、立ち上げ部となるプレキャストコンクリートブロックの直下に容易に鉄筋を配置して建築物基礎を効率よく形成することができる。
【図面の簡単な説明】
【００２１】
【図１】本願発明に係る方法によって形成された建築物基礎の一例を示す断面図である。
【図２】図１に示す建築物基礎の立ち上げ部に用いられるプレキャストコンクリートブロックの平面図、正面図及び側面図である。
【図３】図２に示すプレキャストコンクリートブロックに備えられた接合部の平面図、正面図及び側面図である。
【図４】本願発明に係る方法で使用することができる仮支持金具を示す平面図、正面図、側面図である。
【図５】図１に示す建築物基礎を形成する工程を示す概略断面図である。
【図６】図１に示す建築物基礎を形成する工程を示す概略断面図である。
【図７】図１に示す建築物基礎を形成する工程を示す概略断面図である。
【図８】本願発明に係る方法で使用することができる仮支持金具の他の例を示す概略平面図及び概略正面図である。
【図９】仮支持金具を用いて形成することができる建築物基礎の他の例を示す概略断面図である。
【発明を実施するための形態】
【００２２】
以下、本願発明の実施の形態を図に基づいて説明する。
図１は本願発明に係る方法で形成された建築物基礎の一例を示す断面図、図２はこの建築物基礎の立ち上げ部を構成するプレキャストコンクリートブロックの平面図、正面図及び側面図、図３はプレキャストコンクリートブロックに備えられた接合部を示す平面図、正面図及び側面図である。
この建築物基礎１は、図１に示すように、基礎支持面２上に支持された基礎版であるコンクリート床版３と、コンクリート床版３から連続するように立ち上げられた立ち上げ部４と、を有するものである。上記立ち上げ部４は、複数のプレキャストコンクリートブロックを配列して形成されている。上記コンクリート床版３と立ち上げ部４とには、それぞれ鉄筋が埋め込まれるとともに、立ち上げ部４となるプレキャストコンクリートブロック５の下端部が、現場でコンクリートを打設して形成されたコンクリート床版３中に埋め込まれている。プレキャストコンクリートブロック５に埋め込まれた鉄筋の一部は底面から突出しており、該鉄筋１３の突出した部分がコンクリート床版３に埋め込まれて、プレキャストコンクリートブロック５とコンクリート床版３とが一体に結合されている。また、プレキャストコンクリートブロック５を基礎支持面２上に仮支持する仮支持金具２０が、プレキャストコンクリートブロック５を仮支持した状態のままコンクリート床版３のコンクリート中に埋め込まれている。
立ち上げ部４の上には、木造の建築物の構造部材（図示しない）が立ち上げられ、この建築物の荷重が上記立ち上げ部４及びコンクリート床版３を介して地盤に分散して伝達されるものとなっている。
【００２３】
上記基礎支持面２は、地盤６を掘削（根切り）した後、砕石を敷き均し、転圧して平坦にした砕石層７の上面となっている。この砕石層７は上記仮支持金具２０が支持される領域に凹部が設けられ、この凹部内に捨てコンクリート８が打設されている。また、砕石層７の上にはシート９が敷設されており、このシート９は砕石層７の上から連続して凹部の内面に沿って敷設され、上記捨てコンクリート８はこのシート９の上から上記凹部内に打設されている。シート９は防湿性を有するもの又は防湿性と防蟻性の双方を有するもの等が用いられる。
なお、捨てコンクリート８上の仮支持金具２０が支持される領域には、鋼または合成樹脂からなるプレート１０が載置或いは固着されており、仮支持金具２０による高さの調整を容易としている。
【００２４】
上記コンクリート床版３は、基礎支持面２上にコンクリートを打設して上面がほぼ水平に形成されたものであり、このコンクリート床版３には鉄筋１１，１２が格子状に埋設されている。なお、本実施の形態のコンクリート床版３は、建築物の外周部における立ち上げ部４で囲まれた全領域に形成されたものであるが、立ち上げ部４の両側に張り出すように形成されたフーチングであってもよい。
【００２５】
上記立ち上げ部４は、予め工場等で製作された複数のプレキャストコンクリートブロック５を連結して形成されている。そして、建築物の外壁部及び内部の耐力壁となる部分の下方に、壁面方向に沿って設けられている。
プレキャストコンクリートブロック５は、上記外壁又は耐力壁の壁面に沿った水平方向に最も長い軸線を有するほぼ直方体となっており、軸線に対する幅は壁体の厚さに等に基づいて設定される。また、高さは基礎版であるコンクリート床版３の位置及び建築物の床面の高さ等に基づいて適宜に決定されるものである。
【００２６】
プレキャストコンクリートブロック５のそれぞれには、縦筋１３と横筋１４とが格子状に埋設されている。縦筋１３は、図１に示すように、プレキャストコンクリートブロック５の上部近くで逆Ｕ字形に曲げ加工が施されており、この逆Ｕ字形の内側に上側主筋１４ａとなる横筋が埋設されている。縦筋１３の下端部はプレキャストコンクリートブロック５の底面から突出し、ほぼ水平方向に曲げ加工されてコンクリート床版３中に埋め込まれている。この縦筋１３の水平に曲げ加工された部分は、コンクリート床版３内に配置された鉄筋１１とほぼ同じ高さとなっている。
また、プレキャストコンクリートブロック５の底面には仮支持金具２０が取り付けられており、プレキャストコンクリートブロック５はこの仮支持金具２０を介して捨てコンクリート８上に支持される。つまり、仮支持金具２０はコンクリート床版３のコンクリートが打設されて硬化するまで、プレキャストコンクリートブロック５を所定の高さに仮支持するものである。
【００２７】
プレキャストコンクリートブロック５が水平方向に配置された他のプレキャストコンクリートブロックと当接される面には、図２に示すように、ジョイント１５，１６及びシアコッター１７が形成されている。これらのジョイント１５，１６が他のプレキャストコンクリートブロックのジョイントと互いに嵌合される。そして、ジョイント１５，１６を埋め込むとともにシアコッター１７に充填するようにモルタルグラウトが流し込まれ、隣り合うプレキャストコンクリートブロックが互いに強固に連結されるようになっている。
上記プレキャストコンクリートブロック５は、他のプレキャストコンクリートブロックとの連結部に雌ジョイント１５を備えるとともに他の連結部に雄ジョイント１６を備えたもの、すべての連結部に雌ジョイントを備えたもの、すべての連結部に雄ジョイントを備えたもの等、構築される建築物に応じて設計される。また、ジョイント１５，１６やシアコッター１７は、プレキャストコンクリートブロックの軸線方向における端面の他、他のプレキャストコンクリートブロックの端面と対向する側面に設けられる。
【００２８】
上記雄ジョイント１６は鋼からなり、図３（ａ）（ｂ）（ｃ）に示すように、プレキャストコンクリートブロック５内に埋設される基部１６ａと、この基部から突き出した突出部１６ｂと、上記基部１６ａに連結されてプレキャストコンクリートブロック５内に埋め込まれたアンカー筋１６ｃとで主要部が構成されている。
上記突出部１６ｂは、先端付近で幅方向の寸法が拡大された頭部を有し、プレキャストコンクリートブロック５が他のプレキャストコンクリートブロックと対向する当接面５ａから突出している。上記基部１６ａは上記突出部１６ｂと一体に形成されて突出部１６ｂを支持するものであり、後方で２つに分岐し、分岐のそれぞれにアンカー筋１６ｃが結合されている。上記アンカー筋１６ｃ及び基部１６ａがプレキャストコンクリートブロック５内に埋設されることにより、雄ジョイント１６がプレキャストコンクリートブロック５に固着されている。
【００２９】
上記雌ジョイント１５は、図３（ｄ）（ｅ）（ｆ）に示すようにプレキャストコンクリートブロック５内に埋設される支持基部１５ａと、雄ジョイント１６の突出部１６ｂを嵌め合わせる凹状の空間が形成された支持部１５ｂと、支持基部１５ｂに連結されたアンカー筋１５ｃとで主要部が構成されている。
上記支持部１５ｂは、雄ジョイント１６の突出部１６ｂが凹状の空間内に嵌め合わされたときに、雌ジョイント１５と雄ジョイント１６との間に空隙が形成されるように緩く組み付けるようになっている。そして、支持基部１５ａに連結されたアンカー筋１５ｃがプレキャストコンクリートブロック５に埋め込まれ、雌ジョイント１５を固着するものとなっている。
【００３０】
この雌ジョイント１５は、図３（ｅ）及び図３（ｆ）に示すように、支持部１５ｂの先端がプレキャストコンクリートブロック５の表面とほぼ一致するか表面より内側となるように固着され、支持部１５ｂに形成された凹状の空間の上部は、プレキャストコンクリートブロック５に切り欠き５ｂが設けられている。この切り欠き５ｂの上部から、他のプレキャストコンクリートブロックに固着された雄ジョイントの突出部１６ｂを下降させ、上記雌ジョイント１５の凹状となった空間に嵌め合わすことができるものである。そして、雄ジョイント１６と雌ジョイント１５を嵌め合わせた位置で、接合される双方のプレキャストコンクリートブロック５の高さを合わせることができるとともに、雄ジョイント１６が設けられたプレキャストブロックの重量を支持することもできるものとなっている。つまり、両端に雄ジョイント１６が設けられたプレキャストコンクリートブロックは雌ジョイント１５が設けられた二つのプレキャストコンクリートブロック間に上方から下降させることによって嵌め入れることができ、両側の二つのプレキャストコンクリートブロックによって支持させることができる。
【００３１】
上記シアコッター１７は、上記ジョイント１５，１６の下方に設けられた窪みであり、隣り合うプレキャストコンクリートブロック５の対向する位置にそれぞれ形成されている。雌ジョイント１５と雄ジョイント１６とが嵌め合わされた状態で雌ジョイント１５の上方に形成された切り欠き５ｂからモルタルグラウトが流し込まれると対向した２つのシアコッター内に充填され、硬化したモルタルグラウトによって隣り合うプレキャストコンクリートブロック間に作用するせん断力に抵抗するものとなる。
【００３２】
また、流し込まれたモルタルグラウトは、雄ジョイントの突出部１６ｂと雌ジョイントの支持部１５ｂとの間にも充填され、これらを一体に連結してプレキャストコンクリートブロック間に作用する引張力に抵抗するものとなる。そして、プレキャストコンクリートブロック５に埋設された上側主筋１４ａは、アンカー筋１５ｃ，１６ｃの近傍に埋設されており、プレキャストコンクリートブロック５間の引張力は上側主筋１４ａに伝達されてコンクリートには大きな引張力が作用しないようになっている。
【００３３】
上記仮支持金具２０は、曲げ加工された２本の棒鋼２１，２２と、これらを連結する鋼板材２３，２４，２５と、鋼板材２４，２５に設けられたボルト孔にねじ込まれる高さ調整用ボルト２６とで構成されている。上記棒鋼２１，２２は所定長さの中央部にほぼ水平となる部分２１ａを設け、この水平部２１ａの両側が下方に曲げ下げられている。さらに両側の曲げ下げられた部分の先端付近は、互いに離れる方向へほぼ水平に曲げられている。そして、上記２本の棒鋼２１，２２は、水平となる部分２１ａ及び曲げ下げられた部分２１ｃがほぼ平行となるように並列され、中央部の水平となる部分２１ａの上側と、両端付近の水平となる部分２１ｂの下側に鋼板材２３，２４，２５が溶接等によって接合されている。
【００３４】
上記棒鋼２１，２２の中央部における水平部分の上側に接合された鋼板材２３すなわち取り付け板は、仮支持金具２０をプレキャストコンクリートブロック５の底面に取り付けるための取り付け貫通孔２３ａが形成されたものであり、仮支持金具２０の取り付け部となっている。この取り付け貫通孔２３ａにボルト（図示しない）を挿通し、プレキャストコンクリートブロック５に埋め込まれたアンカー部材２７（図１に示す）の雌ねじにねじ込むことによって、この仮支持金具２０をプレキャストコンクリートブロック５に取り付けることができる。
【００３５】
上記棒鋼２１，２２の中央部で水平となる部分２１ａの両側から下方に曲げ下げられた部分２１ｃは脚部となり、棒鋼２１，２２の両端付近で水平となった部分２１ｂの下側に溶接等によって接合された鋼板材２４，２５すなわち脚板と、この脚板に設けられたねじ孔にねじ込まれた高さ調整用ボルト２６とが、高さ調整部を構成している。つまり、棒鋼２１，２２に固着された脚板２４，２５にねじ込まれた高さ調整用ボルト２６を回転させ、ねじ込み量を変更することによって棒鋼２１，２２の高さ方向の位置及びこの仮支持金具２０によって支持されるプレキャストコンクリートブロック５の設定高さを調整することができるものとなっている。
【００３６】
なお、並列した２本の棒鋼の間隔Ａは、コンクリート床版３に埋設される鉄筋１１，１２の径の１．５倍以上、及び打設されるコンクリートに混合される粗骨材の径の１．２５倍以上に設定される。つまり、少なくともこれらの値の内のいずれか大きい値以上の間隔を有するものとなっている。これにより、並列された２本の棒鋼２１，２２の周辺部へコンクリートを充分に充填して、プレキャストコンクリートブロック５をコンクリート床版３に強固に固着することができる。
【００３７】
次に、上記仮支持金具２０が取り付けられたプレキャストコンクリートブロック５を用いて建築物基礎を形成する方法について説明する。
まず、図５（ａ）に示すように、建築物が構築される地盤６を掘削し（根切り）、砕石を敷き均して転圧して上面が平坦な砕石層７を形成する。
上記砕石を敷き均して転厚するときに、プレキャストコンクリートブロック５に取り付けられた仮支持金具２０を支持する位置には、所定の大きさの板状部材３１例えば木板を埋め込み、この板状部材３１の上面とこの周囲の締め固められた砕石層７とがほぼ同じ高さになるように仕上げる。その後、上記板状部材３１を抜き取り、砕石層７に凹部７ａを形成する。
【００３８】
砕石層７の上には防湿性と防蟻性を備えるシート９を敷設し、上記凹部７ａには、図５（ｂ）に示すように周囲の砕石層７の上面と連続して凹部７ａの内側面及び底面に沿ってシート９を敷設する。そして、シート９の上から凹部７ａに捨てコンクリート８を打設する。また、捨てコンクリート８が硬化する前に、この捨てコンクリート上の仮支持金具２０の脚部が当接する範囲に鋼又は合成樹脂等からなるプレート１０を載置し、図５（ｃ）に示すように上記プレート１０の上面と、捨てコンクリート８の上面と、周囲の締め固められた砕石層７の上面とがほぼ同じ高さとなるように仕上げる。これにより、上記プレート１０の上面、捨てコンクリート８の上面及び周囲の締め固められた砕石層７の上面によってほぼ平坦な基礎支持面２が形成される。なお、プレート１０は捨てコンクリート８の硬化後に載置してもよい。
【００３９】
次に、図６に示すように、基礎支持面２上に鉄筋１１，１２を格子状に配列する。これらの鉄筋１１，１２は、プレキャストコンクリートブロック５の軸線方向の直下に配置される下側主筋１２ａを含むものである。
【００４０】
鉄筋１１，１２が配列されると、図６に示すように、仮支持金具２０を底面に取り付けたプレキャストコンクリートブロック５を吊り揚げて搬入し、基礎支持面２上の所定の位置に吊り降ろす。このとき、図７（ａ）に示すように仮支持金具２０の二つの脚部がプレキャストコンクリートブロック５の軸線方向に配置された下側主筋１２ａを跨ぐ位置にプレキャストコンクリートブロック５を設置する。そして、複数のプレキャストコンクリートブロック５を同様に基礎支持面２上に順次配列して連結する。
【００４１】
プレキャストコンクリートブロック５の配列及び連結は、雌ジョイント１５を備えたプレキャストコンクリートブロック５を先に配置し、高さ調整用ボルト２６のねじ込み量を調整してプレキャストコンクリートブロック５を所定の高さに設置する。その後、雄ジョイント１６を備えたプレキャストコンクリートブロック５をゆっくり降下させ、雄ジョイント１６を雌ジョイント１５に嵌め合わせて連結する。
【００４２】
配列する複数のプレキャストコンクリートブロック５が矩形状に閉じた形状となるときには、最後に配置するプレキャストコンクリートブロックの、隣り合う複数のプレキャストコンクリートブロックと対向する面のすべてに雄ジョイント１６を備えたものとし、隣り合うプレキャストコンクリートブロックの雌ジョイント１５に複数の雄ジョイント１６を同時に嵌め合わせて連結することができる。
【００４３】
次に、基礎支持面２上に配列していた鉄筋１１，１２を、図７（ｂ）に示すようにコンクリート床版３内に埋設する所定の高さとなる位置に持ち上げ、モルタルスペーサ（図示しない）等によって支持させる。このとき仮支持金具２０の脚部間の空間は下方に開放されており、基礎支持面２上に置かれている下側主筋１２ａをこの空間内で持ち上げ、所定の高さに支持させることができる。したがって、下側主筋１２ａは、図７（ｂ）に示すようにプレキャストコンクリートブロック５の直下で軸線方向に配置することができる。
【００４４】
また、仮支持金具２０の脚部２１ｃには、図４に示すように上記鉄筋が配置される高さを示す高さ表示２８が付されており、この高さ表示２８に基づいて鉄筋１１，１２を持ち上げ、この位置で脚部２１ｃに結束することができる。これにより、プレキャストコンクリートブロック５の位置を基準にして正確な高さに鉄筋１１，１２を配置することができる。また、プレキャストコンクリートブロック５の底面から突出して水平方向に曲げ加工された縦筋１３と上記鉄筋１１，１２とを結束する。
【００４５】
なお、コンクリート床版３内に埋設する鉄筋１１，１２は、基礎支持面２上に配列するとき、つまり、プレキャストコンクリートブロック５を基礎支持面上に配列する前に、所定の高さに支持させておくこともできる。
【００４６】
次に、図７（ｂ）に示すように、建築物基礎を形成する領域の外周部すなわちプレキャストコンクリートブロック５が配置された領域の外側に型枠３２を設け、この型枠内に床版のコンクリートを打設する。コンクリートは仮支持金具２０とプレキャストコンクリートブロック５の下部が埋設される高さまで打設し、コンクリート床版３を形成するとともに立ち上げ部となるプレキャストコンクリートブロック５と一体に固着する。
その後、雌ジョイント１５の上方に形成された切り欠き５ｂからモルタルグラウトを流し込み、雄ジョイント１６と雌ジョイント１５との隙間及びシアコッター１７内にモルタルグラウトを充填する。これにより、プレキャストコンクリートブロック間の変位が生じない状態に連結される。
【００４７】
なお、本願発明は上述の実施の形態に限定されるものではなく、本願発明の範囲内で他の形態として実施することもできる。
例えば、仮支持金具は、図８に示すような他の形態のものを用いることができる。
【００４８】
図８（ａ）及び図８（ｂ）に示す仮支持金具４０は所定長さの棒鋼４１を曲げ加工して、プレキャストコンクリートブロックの底面に取り付けられる取り付け部４２と、下方に曲げ下げられた脚部４３とを形成したものである。
上記取り付け部４２は、棒鋼４１の長さ方向の中央部を圧延して平板状にし、この部分に上下方向の貫通孔４２ａを設けたものである。この貫通孔４２ａにボルト（図示しない）を挿通し、プレキャストコンクリートブロック５に埋設されたアンカー部材２７の雌ねじに上記ボルトをねじ込むことによって、この仮支持金具４０をプレキャストコンクリートブロック５の底面に取り付けることができる。また、下方へ突出した上記脚部４３の先端付近４３ａでは、棒鋼４１を水平方向に曲げた部分が圧延され、厚みを有する平板状となっている。この部分に形成されたねじ孔に高さ調整用ボルト４４がねじ込まれ、支持するプレキャストコンクリートブロックの高さを調整する高さ調整部となっている。
【００４９】
また、図８（ｃ）及び図８（ｄ）に示すような仮支持金具５０を用いることもできる。
この仮支持金具５０は所定の長さの棒鋼５１を曲げ加工し、中央部の水平となる部分を圧延して、（ａ）図及び（ｂ）図に示す仮支持金具４０と同様に取り付け部５２が形成されている。この取り付け部５２にはボルトを挿通する貫通孔５２ａが設けられている。そして、取り付け部の両側で下方に曲げ下げられた部分が脚部５３となっており、この脚部５３の先端付近は外周面に雄ねじが形成されている。この雄ねじに長ナット５４が螺合されて高さ調整部となっており、上記雄ねじの長ナット５４へのねじ込み量を調整することによりプレキャストコンクリートブロック５の高さを調整するものである。
【００５０】
また、図９に示すように、建築物の外周部に地中梁が設けられた基礎においても、プレキャストコンクリートブロックと仮支持金具とを用いて基礎を形成することができる。
図９（ａ）に示す建築物基礎６０は、地盤６１を深く掘り下げて地中梁６２とする部分では、配置するプレキャストコンクリートブロック５の底面に、鋼で形成された支柱６３を固定し、その下端に仮支持金具２０を取り付けている。このように仮支持金具２０を取り付けたプレキャストコンクリートブロック５も、図１に示すものと同様に仮支持金具が先に配置された鉄筋６４を跨ぐように設置し、鉄筋６４の配置を容易に行うことができる。
【００５１】
また、参考例として図９（ｂ）に示す建築物基礎７０では、地盤７１を深く掘り下げて地中梁７２とする部分には、先にコンクリートを打設して上面をほぼ水平に仕上げる。その後、地盤上に敷き均した砕石層７３の上面を先に打設したコンクリートの上面とほぼ同じ高さに締め固める。この上には、図１に示す建築物基礎１と同様に、鉄筋７４を配置するとともに仮支持金具２０によってプレキャストコンクリートブロック５を支持させ、コンクリート床版７５のコンクリートを打設することができる。
【００５２】
なお、以上に説明した実施の形態では、いずれも砕石層を締め固めて基礎支持面を形成しているが、掘削した地盤をそのまま締め固めて基礎支持面を形成しても良い。
【００５３】
また、プレキャストコンクリートブロックと仮支持金具とを用いて建築物基礎を形成する方法は、特に次のような工程を含む方法が推奨される。
基礎支持面上に形成された基礎版と、この基礎版上に立ち上げられる立ち上げ部とを有する建築物基礎の形成方法であって、  地盤上に前記基礎支持面をほぼ水平に形成する工程と、  前記基礎支持面上に、前記基礎版にほぼ水平に埋め込む鉄筋を配列する工程と、  前記立ち上げ部を構成するプレキャストコンクリートブロックの底面に、少なくとも２箇所から下方に突き出した脚部を有する仮支持金具を取り付け、該プレキャストコンクリートブロックを、２箇所から突き出した前記脚部が前記鉄筋を跨ぐように、前記基礎支持面上に支持させる工程と、  前記基礎支持面上に配列された前記鉄筋を上方に持ち上げ、前記基礎版内に埋め込む所定の高さに配置する工程と、  前記鉄筋と前記仮支持金具とを埋め込み、前記プレキャストコンクリートブロックと密接するように前記基礎版のコンクリートを打設する工程と、を含む建築物基礎の形成方法である。
【００５４】
この建築物基礎の形成方法では、プレキャストコンクリートブロックに取り付けられた仮支持金具が基礎支持面上に配列された鉄筋を跨いでプレキャストコンクリートブロックを基礎支持面上に支持するので、プレキャストコンクリートブロックの下側へ鉄筋を配置するのが容易となり、配筋作業の効率を向上させることができる。つまり、プレキャストコンクリートブロックの直下に、該プレキャストコンクリートブロックの軸線方向に沿って配置する鉄筋を、該鉄筋の軸線方向に送り出してプレキャストコンクリートブロックの下側に配置する必要が無くなる。したがって、プレキャストコンクリートブロックの下側が鉄筋によって充分に補強された建築物基礎を効率よく形成することができる。
なお、基礎支持面上に配列された鉄筋を基礎版内に埋め込む所定の高さへ持ち上げる工程は、プレキャストコンクリートブロックを基礎支持面上に支持させる工程の前又は後のいずれで行われるものであってもよい。
【００５５】
また、プレキャストコンクリートブロックを用いて建築物基礎を形成するときに使用する仮支持金具として、次のような構成を有するものが望ましい。
基礎支持面上に形成された基礎版と、この基礎版上に立ち上げられる立ち上げ部とを有する建築物基礎の前記立ち上げ部となるプレキャストコンクリートブロックを仮支持し、その後に打設される前記基礎版のコンクリート中に埋め込まれる仮支持金具であって、  前記プレキャストコンクリートブロックの底面に取り付けられる取り付け部と、  前記取り付け部の少なくとも２箇所から下方に突き出した脚部と、  前記基礎支持面上に支持された状態で前記脚部の高さの調整を可能とする高さ調整部とを有し、  前記脚部間の空間が下方に開放されていることを特徴とする仮支持金具である。
【００５６】
この仮支持金具の脚部間の空間は、下方に開放されているので、プレキャストコンクリートブロックを配列する前に基礎支持面上に鉄筋を配列しておき、これらの鉄筋を脚部が跨ぐようにプレキャストコンクリートブロックを基礎支持面上に支持させることができる。これにより、プレキャストコンクリートブロックの下方に鉄筋を差し入れて配筋する必要がなく、建築物基礎の周辺に残土がある場合や狭い土地に基礎を形成する場合にも鉄筋の敷設を容易に行うことができる。
また、脚部間に空間が形成されているので打設されるコンクリートが脚部間に回りこみやすく、プレキャストコンクリートブロックと基礎版とが強固に一体化される。
【００５７】
また、上記仮支持金具において、  前記脚部は、棒状の鋼部材で形成されており、  前記基礎版に配置される鉄筋の高さに相当する位置に、鉄筋の位置の表示が付されているものが望ましい。
【００５８】
この仮支持金具では、上記表示に基づいて鉄筋を配置することにより、配置されたプレキャストコンクリートブロックの高さを基準にして基礎版のコンクリートに埋め込む鉄筋を正確な高さに効率よく配置することができる。
【００５９】
このような仮支持金具では、プレキャストコンクリートブロックを支持するとともに、該プレキャストコンクリートブロックの軸線方向の直下に鉄筋を容易に配置して効率よく建築物基礎を形成することが可能となる。
【００６０】
なお、上記仮支持金具を用いるときには、捨てコンクリートは必ずしも必要ではなく、基礎支持面上の仮支持金具が支持される領域に鋼プレート等を載置し、この上に仮支持金具を支持させてもよい。
【符号の説明】
【００６１】
１：建築物基礎、    ２：基礎支持面、    ３：コンクリート床版、    ４：立ち上げ部、    ５：プレキャストコンクリートブロック、    ６：地盤、    ７：砕石層、    ７ａ：砕石層に設けられる凹部、    ８：捨てコンクリート、    ９：シート、    １０：プレート、    １１，１２：鉄筋、    １２ａ：下側主筋、    １３縦筋、    １４：横筋、    １４ａ：上側主筋、    １５：雌ジョイント、    １５ａ：雌ジョイントの支持基部、    １５ｂ：雌ジョイントの支持部、    １５ｃ：アンカー筋、    １６：雄ジョイント、    １６ａ：雄ジョイントの基部、    １６ｂ：雄ジョイントの突出部、    １６ｃ：アンカー筋、    １７：シアコッター、
２０：仮支持金具、    ２１，２２：棒鋼、    ２３：鋼板材（取り付け板）、    ２４，２５：鋼板材（脚板）、    ２６：高さ調整用ボルト、    ２７：アンカー部材、
２８：高さ表示、    ３１：板状部材（木版）、    ３２：型枠、
４０：仮支持金具、    ４１：棒鋼、    ４２：取り付け部、    ４２ａ：貫通孔、  
４３：脚部、    ４４：高さ調整用ボルト、    ５０：仮支持金具、    ５１：棒鋼、    ５２：取り付け部、    ５３：脚部、    ５４：長ナット、
６０：建築物基礎、    ６１：地盤、    ６２：地中梁、    ６３：支柱、    ６４：鉄筋、    ７０：建築物基礎、    ７１：地盤、    ７２：地中梁、    ７３：砕石層、    ７４：鉄筋、    ７５：コンクリート床版
【図１】
0005821042.tif 000002
【図２】
0005821042.tif 000003
【図３】
0005821042.tif 000004
【図４】
0005821042.tif 000005
【図５】
0005821042.tif 000006
【図６】
0005821042.tif 000007
【図７】
0005821042.tif 000008
【図８】
0005821042.tif 000009
【図９】
0005821042.tif 000010